(57)【要約】【課題】  大規模の通信回線網であっても、設置時やシステム変更時の接続工事の工数や配線量を抑制でき、データ転送を効率よく実施することができるデータ管理システムを提供する。【解決手段】  網の接続部１７に属する各網切替装置３〜７では、データ送信時以外は独立／バイパス動作状態側の経路となるようにし、網の装置群部１１〜１５の付設処理装置では、データ送信時以外はバイパス経路となるようにし、さらに、網の接続部１７の各網切替装置３〜７がバイパス経路である場合に、各網切替装置３〜７が属する網の接続部１１〜１５では、通信方向で最後の付設処理装置２５に全遊技装置３１〜３５のデータを集積させるように構成する。【選択図】  図２
2006325898.tif 000002
【特許請求の範囲】
【請求項１】
複数の遊技装置の各々に隣接して接続される複数の付設処理装置と、
前記各付設処理装置を制御することにより各遊技装置を管理する中央管理装置と、
前記各付設処理装置と前記中央管理装置とを接続する通信回線網とを備えるデータ管理システムであって、
前記通信回線網を、複数の前記付設処理装置から構成される装置群毎に独立してその内部で通信が可能である独立／バイパス動作状態と、前記装置群毎の前記各付設処理装置が前記中央管理装置と接続される接続動作状態とに切替ることができる複数の網切替装置と、
前記中央管理装置から前記各網切替装置毎に前記切替を制御する信号を送信できる複数の切替制御線と
を備え、
前記中央管理装置は、データ収集目的の前記装置群内の各付設処理装置からデータを受信する場合には、前記網切替装置を前記接続動作状態に切替える切替制御信号を送信し、前記装置群内の各付設処理装置からデータを受信しない場合には、前記網切替装置を前記独立／バイパス動作状態に切替える切替制御信号を送信する切替制御信号送信部が設けられる
ことを特徴とするデータ管理システム。
【請求項２】
前記中央管理装置は、
各付設処理装置とデータを送受信する通信タイミングである前記装置群の網切替装置に対しては、切替制御信号送信部から前記網切替装置を前記接続動作状態に切替える切替制御信号を送信し、
各付設処理装置とデータを送受信しない通信タイミングである前記装置群の網切替装置に対しては、切替制御信号送信部から前記網切替装置を前記独立／バイパス動作状態に切替える切替制御信号を送信する
ことを特徴とする請求項１に記載のデータ管理システム。
【請求項３】
前記網切替装置は、前記中央管理装置に接続された通信回線網が前記独立／バイパス動作状態側の経路に切替られている間には、前記装置群内の各付設処理装置の部分について独立／バイパス動作状態となる通信回線網を形成可能であるように切替えられる
ことを特徴とする請求項１又は２に記載のデータ通信システム。
【請求項４】
前記装置群内の各付設処理装置は、前記独立／バイパス動作状態となる通信回線網内の１台の前記付設処理装置に、他の各付設処理装置のデータを集積させて記憶させる
ことを特徴とする請求項３に記載のデータ管理システム。
【請求項５】
前記装置群内でデータが集積される１台の付設処理装置は、前記独立／バイパス動作状態となる通信回線網内の通信順序で最後になる付設処理装置である
ことを特徴とする請求項４に記載のデータ管理システム。
【請求項６】
前記データが集積された１台の付設処置装置は、前記網切替装置が前記独立／バイパス動作状態から前記接続動作状態に切替られた場合、集積されたデータを送信する
ことを特徴とする請求項４又は５に記載のデータ通信システム。
【請求項７】
複数の遊技装置の各々に隣接して接続される複数の付設処理装置と、各付設処理装置を制御することにより各遊技装置を管理する中央管理装置と、前記各付設処理装置と前記中央管理装置とを接続する通信回線網と、前記通信回線網が、複数の前記付設処理装置から構成される装置群毎に独立してその内部で通信が可能である独立／バイパス動作状態と、該通信回線網が前記中央管理装置と接続された接続動作状態とを切替ることができる複数の網切替装置が設けられ、前記中央管理装置から前記各網切替装置毎に前記切替を制御する信号を送信できる複数の切替制御線とを備えたデータ管理システムのデータ管理方法であって、
前記中央管理装置から、前記各網切替装置毎に、前記装置群毎の動作状態が独立／バイパス動作状態から前記接続動作状態に切替るように制御する信号が送信されるステップと、
前記網切替装置が、前記装置群毎の動作状態を前記独立／バイパス動作状態から前記接続動作状態に切替るステップと、
前記中央管理装置から、前記接続動作状態の前記付設処理装置に向けて送信許可信号が送信されるステップと、
前記付設処理装置が、前記送信許可信号を受信してデータを前記中央管理装置に送信するステップ
を有することを特徴とするデータ管理システムのデータ管理方法。
【請求項８】
前記中央管理装置から、前記接続動作状態の前記付設処理装置に向けて送信許可信号が送信されるステップの前に、
前記独立／バイパス動作状態である前記装置群の前記付設処理装置が、１台の前記付設処理装置に他の前記付設処理装置のデータを集積させるステップを有し、
前記付設処理装置が、前記送信許可信号を受信してデータを前記中央管理装置に送信するステップでは、データが集積された１台の前記付設処理装置からデータが送信される
ことを特徴とする請求項７に記載のデータ管理システムのデータ管理方法。
【発明の詳細な説明】
【技術分野】
【０００１】
本発明は、パチンコ玉やコイン等の遊技媒体を利用する複数の遊技装置を管理するシステム及びそのデータ管理方法に関し、特に、大規模の通信回線網を用いた管理システムの構成とその管理方法に関する。
【背景技術】
【０００２】
近年の遊技場では、特に郊外の大型店等では、遊技台数も増加していることからその通信回線網の規模も増大している。一般的に、遊技場等のシリアル通信方式の通信回線網では、大規模になればなるほど、中央管理装置（ホールコンピュータ）と各遊技装置（又はその付設処理装置）とを接続してデータ等の通信に用いられる信号線（あるいは通信線）の配線数あるいは配線の総延長距離が増加する。
【０００３】
遊技場向けの大規模な通信回線網を利用した管理システムで通信回線網の配線数を減少させるためには、信号線の利用効率を改善させることが考えられる。信号線の利用効率を改善することは、例えば、通信回路網を途中で異なる系統に変更することにより改善できることが知られている。
【０００４】
遊技場の通信回路網を途中で異なる系統に変更した例としては、例えば、複数の遊技台がリング型（ループ状）に列をなして配置された送受信回線と、中央管理装置とを、ＵＡＲＴ（調歩同期式シリアル転送方式）型通信回線網（ＬＡＮ：ローカルエリアネットワーク）と切替接続部により２重の通信回線網により接続する発明が、本願の発明者により先に出願されている（例えば、特許文献１参照）。また、複数の付設処理装置を含む各装置群内の各付設処理装置に経路切替部を設ける発明も、本願の発明者により先に出願されている（例えば、特許文献２参照）。
【０００５】
ホールコンピュータ（中央管理装置）の集線装置と、パチンコ台の情報収集ボックス（付設処理装置）との間に、の第１の通信回線網（パソコンＬＡＮ）と、（各装置群毎）の第２の通信回線網（簡易ＬＡＮ）を設け、各通信回線網の間に中継装置を配置する構成も知られている（例えば、特許文献３参照）。また、遊技台（カードユニット）に遊技台中継装置を設け、ホールコンピュータとの間に、装置群中継装置を挟んで２重の通信回線網（ポーリング／セレクティング方式）が設けられる構成も知られている（例えば、特許文献４参照）。さらに、ＡＴＭ交換機（ホールコンピュータ）に主中継機を設け、主中継機と複数の副中継機からなるトークンリングＬＡＮ（通信回線網の一種）と、副中継機から複数の各端末に対するポーリングＬＡＮが設けられる構成も知られている（例えば、特許文献５参照）。
【０００６】
上記した２重の通信回線網を有する各従来技術の方法では、２重の通信回線網の一方は、信号線の配線数の点では不利になるポーリング／セレクティング方式になっている。その理由は、例えば、単純にシリアル転送される大規模な通信回線網を２重にして各通信回線網間に単純に中継装置を設けるだけでは、結果的に通信回線網のシリアル転送経路を長くしただけの構成と同様になりデータの送受信時の遅延を増大させてしまうためであり、信号線の配線数あるいは配線の総延長距離の増加は問題とされていない。つまり、通信速度の遅延問題を回避するために、トークンリング等ではなく、ポーリング／セレクティング方式の配線が少なくとも２重の通信配線網の一方には用いられ、そのため、配線数等については若干増加している。
【０００７】
遊技場の通信回線網の設置時やシステム変更時には、中央管理装置と各遊技装置とを通信回線網で接続する接続工事が必要になるが、接続される端末子機（付設処理装置等）の数が少ない小規模の通信回線網ではその配線量が少ないため、配線工事の工数あるいは配線数頭の多さはあまり問題にならない。しかし、接続される端末子機の数が増大して大規模の通信回線網（あるいは上記したような２重の通信回線網）になると、各装置群コンピュータ毎にその装置群内の各付設処理装置と中継装置（中継コンピュータ）を接続し、さらに各中継装置と中央管理装置を接続する必要があるので、配線の工事数が増大することから、配線工事の工数あるいは配線数等が問題になる。
【０００８】
【特許文献１】特開２０００−３５８０５４号公報
【特許文献２】特開２００４−１４７７２２号公報
【特許文献３】特開平１０−５４１４号公報
【特許文献４】特開２００４−２４３３６号公報
【特許文献５】特開平９−２１４５２１号公報
【発明の開示】
【発明が解決しようとする課題】
【０００９】
従来の遊技場システムでは、上記したように通信速度の問題については考慮されていたが、設置時やシステム変更時の接続工事の工数や配線数が多い点については全く考慮されていなかった。従って、接続子機（接続端末）の数が増大して大規模な通信回線網になった場合には、設置時やシステム変更時の接続工事の工数や配線量が多くなり、工事が煩雑で工数が多く必要であった。簡単に言い換えれば、従来技術の構成では、大規模な通信回線網になった場合に、設置時やシステム変更時の接続工事の工数や配線量が多くなり工数が多くなるという問題を解決できなかった。
【００１０】
本発明は上記した問題を解決するためになされたもので、通信回線網の端末数が増加して規模が大きくなっても、設置時やシステム変更時の接続工事の工数や配線量を抑制できるデータ管理システム及びデータ管理方法を提供することを目的とする。
【課題を解決するための手段】
【００１１】
上記した目的を達成するために、本発明に係るデータ管理システムは、複数の遊技装置の各々に隣接して接続される複数の付設処理装置と、各付設処理装置を制御することにより各遊技装置を管理する中央管理装置と、前記各付設処理装置と前記中央管理装置とを接続する通信回線網とを備えるデータ管理システムであって、
前記通信回線網を、複数の前記付設処理装置から構成される装置群毎に独立してその内部で通信が可能である独立／バイパス動作状態と、前記装置群毎の前記各付設処理装置が前記中央管理装置と接続される接続動作状態とに切替ることができる複数の網切替装置と、
前記中央管理装置から前記各網切替装置毎に前記切替を制御する信号を送信できる複数の切替制御線とを備え、
前記中央管理装置は、データ収集目的の前記装置群内の各付設処理装置からデータを受信する場合には、前記網切替装置を前記接続動作状態に切替える切替制御信号を送信し、前記装置群内の各付設処理装置からデータを受信しない場合には、前記網切替装置を前記独立／バイパス動作状態に切替える切替制御信号を送信する切替制御信号送信部が設けられる。
【発明の効果】
【００１２】
本発明に係るデータ管理システムは、各装置群毎の各網切替装置がデータ送信時以外は独立／バイパス動作状態側の経路となるように切り換わるので、全体として大規模になる通信回線網であっても、設置時やシステム変更時の接続工事の工数や配線量を抑制することができる。また、各装置群内の付設処理装置でも、データ送信時以外はバイパス経路となるようにした場合には、データ転送を効率よく実施することができる。それに加えて、各装置群の各網切替装置が独立／バイパス動作状態側の経路である場合で、各網切替装置毎に従属する通信回線網の独立動作で接続された１個の装置に全遊技装置の緊急データを集積させる場合には、データ転送の効率をさらによくすることができる。
【発明を実施するための最良の形態】
【００１３】
以下、本発明を図示した実施の形態に基づいて説明する。
＜実施の形態１＞
図１は、従来のデータ管理システムの概略構成を示したブロック図である。図１は、本発明のデータ管理システムとの比較のために参考として示す図である。
【００１４】
図１のシステムでは、複数の遊技装置３１〜３５と、各遊技装置３１〜３５に対応して個別に設けられた複数の付設処理装置２１〜２５とが通信接続ケーブル等により各々接続されている。中央管理装置１と、各付設処理装置２１〜２５及び両替装置２８とは、通信回線２により接続されて閉ループ形式の通信回線網（ネットワーク）を形成している。リング型に接続された通信回線２の通信方向は、中央管理装置１から付設処理装置２１に向かう一方向であり、各通信データは、付設処理装置２１、付設処理装置２２、付設処理装置２３、付設処理装置２４、付設処理装置２５、両替装置２８の順に転送されて中央管理装置１に戻る。尚、両替装置２８は、図１では通信方向の最後に配置させたが、通信回線網内に配置させなくても良く、通信方向の最初、あるいは、通信方向における各付設処理装置の中間に配置させても良い。
【００１５】
遊技装置３１〜３５は、例えば、パチンコ台やスロット台等のように、使用者によりパチンコ玉あるいはコイン等の遊技媒体を利用して遊技が実行されるものであり、遊技台または遊技装置とも称される。付設処理装置２１〜２５は、遊技装置３１〜３５の各々に隣接して設置され、各遊技装置３１〜３５に接続される。
【００１６】
中央管理装置１は、各付設処理装置２１〜２５と通信回線により接続されて各付設処理装置２１〜２５を制御することにより各遊技装置３１〜３５を管理する。その管理内容としては、多種多様な管理が可能であるが、少なくとも遊技媒体の数量を管理する。例えば、中央管理装置１では、少なくとも、各遊技装置３１〜３５に供給される遊技媒体の数量、各遊技装置３１〜３５で使用された遊技媒体の数量、各使用者の貯蓄玉（遊技媒体）データ情報等について管理する。
【００１７】
中央管理装置１は、遊技場の従業員等により管理され、一般の遊技客等は操作できないように、例えば、遊技場の管理室あるいはフロントカウンター等の内部に設置される。中央管理装置１内には、様々なプログラムを格納しているので、その内部に設けられた後述する制御部により各遊技装置３１〜３５を制御するための様々な指示（コマンド）等の生成や送受信が可能であり、また、管理に必要な様々な処理の実施が可能である
【００１８】
なお、図１では、中央管理装置１と各遊技装置３１〜３５は、各付設処理装置２１〜２５を介して間接的に接続されているが、例えば、中央管理装置１と各遊技装置３１〜３５を通信回線２により直接に接続し、制御信号を各遊技装置３１〜３５と各付設処理装置２１〜２５間で送受信することで、各遊技装置３１〜３５を管理するように構成しても良い。
【００１９】
図２は、本発明のデータ管理システムの実施の形態１の概略構成を示したブロック図である。
図２では、図１と同様な部位については同じ符号を付与して重複する説明を省略する。
図２のシステムでは、中央管理装置１と、第１〜第ｎの各網切替装置３〜７とが、通信回線２により接続されて閉ループ形式の網の接続部１７を形成している。
【００２０】
そして、第１網切替装置３と、各付設処理装置２１〜２５が、通信回線２により接続されて閉ループ形式の網の第１装置群部１１を形成している。同様にして第２網切替装置４は網の第２装置群部１２を形成し、第３網切替装置５は網の第３装置群部１３を形成し、第４網切替装置６は網の第４装置群部１４を形成し、第ｎ網切替装置７は網の第ｎ装置群部１５を形成している。
【００２１】
網の接続部１７における通信回線２の通信方向は、中央管理装置１から第１網切替装置３に向かう方向とその逆方向の２系統であり、各通信データは、第１網切替装置３、第２網切替装置４、第３網切替装置５、第４網切替装置６、・・・、第ｎ網切替装置７の順に各々接続状態になり転送される。中央管理装置１から各網切替装置３〜７に、ＬＡＮケーブルに沿って延伸される切替制御線８は、各網切替装置３〜７における切替制御信号を送信するための線である。この切替制御線８は、例えば、４本の平行線あるいはより線のケーブルで接続する場合には、１６ビットの信号を送信できるので、１６個の装置群部の網切替装置を個別に切り替えることができる。
【００２２】
網の第１装置群部１１における通信回線２の通信方向は、第１網切替装置３から付設処理装置２１に向かう方向とその逆方向であり、装置群が接続動作状態の各通信データは、付設処理装置２１、付設処理装置２２、付設処理装置２３、付設処理装置２４、付設処理装置２５、両替装置２８の順に転送されて第１網切替装置３に戻る。この場合、両替装置２８は、図２では通信方向の最後に配置させたが、網の第１装置群部１１内に配置させなくても良く、通信方向の最初、あるいは、通信方向における各付設処理装置の中間に配置させても良い。
【００２３】
図２では詳細な図示は省略しているが、網の第２装置群部１２、網の第３装置群部１３、網の第４装置群部１４、網の第ｎ装置群部１５も、上記した網の第１装置群部１１と同様な構成である。
【００２４】
図１に示したような中央管理装置１により各装置群部１１〜１５の切替をする従来の構成では、通信回線２を全ての装置群部１１〜１５から中央管理装置１までを個々に接続する必要があった。しかし、図２に示したように各装置群部１１〜１５側に各網切替装置３〜７を配置して切替制御線８でその切替を制御する本実施形態の構成では、通信回線２（及び切替制御線８）は、各装置群部１１〜１５の間を接続するのみでよく、通信回線２の総経路長を短くすることができ、通信回線２を配線するための工事も容易にすることができる。
【００２５】
図３は、図２の中央管理装置１の概略内部構成を示すブロック図である。
図３の受信バッファ４１は、例えば、各装置群の通信回線網における最後の付設処理装置２５から通信回線２を介して受信するデータ等を一時的に格納する。表示部４２は、例えば、各遊技装置３１〜３５の状況や入力内容等を従業員に示すものである。
【００２６】
操作部４３は、例えば、数字やアルファベット、あるいは仮名の入力用キーボード等である。この操作部４３により、例えば、従業員によりその日に特有の景品交換率や手数料等の設定や、各遊技装置３１〜３５への個別の指示内容や全遊技装置への一斉指示内容を入力することができる。入力内容は、全遊技装置に共通の設定でも良いし、所定のタイプの遊技装置に限る設定でも良い。また、その内容は、１日のうちの、特定の時間に限る設定としても良い。送信バッファ４４は、例えば、各装置群毎の通信回線網における最初の付設処理装置２１に通信回線２を介して送信するデータ等を一時的に格納する。制御部４５は、中央演算素子（ＣＰＵ）あるいはマイクロプロセッサ等の演算素子からなり、各種の制御処理、演算処理、判断処理等を実施する。
【００２７】
中央管理装置１内では、回線網通信プログラム記憶部４６は、網の接続部１７における全ての網切替装置３〜７に対して、データあるいは送信許可信号を順次転送させ、各網切替装置３〜７を介してその装置群の最後の付設処理装置からデータを送信させるプログラムを格納する。送信許可信号は、例えば、トークンリング回線網におけるトークンのように、受信した網切替装置３〜７からのデータ送信を許可する信号である。全遊技装置データ記憶部４７は、網の各装置群部１１〜１５に接続された全ての遊技装置３１〜３５から転送されてきたデータ（付設処理装置２１〜２５に格納されていたデータ）を格納する記憶部であり、例えば、各遊技装置３１〜３５の設定内容や各顧客（使用者）毎に保有される記憶媒体に格納された遊技媒体貯蓄データ（貯蓄玉データ、貯蓄コインデータ等）を格納する。
【００２８】
切替制御信号送信部４８は、図２に示した網の第１装置群部１１、網の第２装置群部１２、網の第３装置群部１３、網の第４装置群部１４、網の第ｎ装置群部１５内の後述する網切替装置に対して、各装置群からのデータの転送状況に対応させて、切替制御信号を送信する送信部である。例えば、データを転送させたい装置群の網切替装置に対してのみ、その装置群が網に含まれるように切替させ、他の装置群の網切替装置に対しては、その装置群が網内でバイパスされるように切替させるように、各装置群に向けて切替制御線８を介して切替制御信号を送信する。
【００２９】
最初のデータを転送させたい装置群からの全データの転送が終了したら、次のデータを転送させたい装置群の網切替装置に対してのみ、その装置群が網に含まれるように切替させ、他の装置群の網切替装置に対しては、その装置群が網内でバイパスされるように切替させる。この処理を各装置群に対して順次繰り返すことにより、中央管理装置１で、全ての遊技装置のデータ（付設処理装置２１〜２５に格納されていたデータ）を受信して格納することができる。
【００３０】
図４は、図２の網切替装置３〜７の概略の内部構成を示すブロック図である。
網切替装置９は、図２の第１〜第ｎの網切替装置３〜７に対応し、通信回線２により他の網切替装置３〜７または中央管理装置１と接続されている。
【００３１】
網切替装置９（各網切替装置３〜７）内では、制御部５１は、中央管理装置１からの切替制御信号を受信して後述する経路切替部５６〜５８を切替える信号を出力する素子であり、単純な切替処理が可能であればよいので、高価な中央演算素子（ＣＰＵ）あるいはマイクロプロセッサ等の演算素子を用いる必要は無い。
【００３２】
経路切替部５６〜５８は、網の接続部１７における独立／バイパス動作状態側の経路（Ａ）と、通信回線網に接続される動作状態側の経路（Ｂ）とを切り替える切替部である。経路切替部５６〜５８の初期状態としては、独立／バイパス動作状態側の経路（Ａ）側に切替られることとなる。独立／バイパス動作状態側の経路（Ａ）の場合は、網切替装置９は、転送データを網の第１装置群部１１〜１５の内部に転送させず、単に受信した信号をバイパスさせてそのまま出力させるのみである。通信回線網に接続される動作状態側の経路（Ｂ）側に切替られた場合には、転送データは、例えば、網の第１装置群部１１〜１５の内部を転送されるが、その際に、後述するように、通信方向で最後の付設処理装置２５以外の付設処理装置はバイパス経路となるように設定され、最後の付設処理装置２５のみから、その装置群内の全遊技装置の緊急データが読み出される。
【００３３】
図５は、図２の付設処理装置２１〜２５の概略内部構成を示すブロック図である。
付設処理装置２０は、図１の付設処理装置２１〜２５に対応し、通信回線２により他の付設処理装置２１〜２５または網切替装置３〜７と接続されている。
【００３４】
各付設処理装置２１〜２５内には、受信した各遊技装置毎のデータ等の波形を整形して出力する波形整形部７１を有する。これは、受信したＩＤを決定するためのデータ等の波形は、通信回線網２を伝送中に減衰するか、波形が乱れている可能性があるため、次段の付設処理装置のために波形を整えて再送出するものである。この波形整形部７１を経由する経路は、付設処理装置２０内で処理を実施せず、単に受信した信号の波形が整形されて出力されるのみであるのでバイパス経路（Ａ／Ｂ）とする。
【００３５】
ここで、各付設処理装置２１〜２５内のバイパス経路（Ａ／Ｂ）と表記するのは、網切替装置９における独立／バイパス動作状態側の経路（Ｂ）側の場合と、接続動作状態側の経路（Ｂ）側の場合の双方の場合において、各付設処理装置２１〜２５内ではバイパス経路が設定されるためである。
【００３６】
経路切替部７２は、通信回線網におけるバイパス経路（Ａ／Ｂ）と個別送受信経路（Ｃ）とを切替るものである。経路切替部７２の初期状態としては、バイパス経路（Ａ／Ｂ）側となる。
【００３７】
受信バッファ７３は、通信回線２から受信したデータ等を後述する制御部７５で処理するために一時的に格納するものである。この受信バッファ７３を経由する経路は、各付設処理装置２０内で個別に処理が実施されるため個別送受信経路（Ｃ）となる。つまり、各付設処理装置２１〜２５内がバイパス経路（Ａ／Ｂ）でない場合は、各付設処理装置毎に個別に送受信する個別送受信経路（Ｃ）となる。
【００３８】
送信バッファ７４は、受信バッファ７３で受信したデータを、通信回線２を介して送信するために一時的に格納するものである。制御部７５は、中央演算素子（ＣＰＵ）あるいはマイクロプロセッサ等の演算素子からなり、各種の制御処理、演算処理、判断処理等を実施する。また、制御部７５は、不図示の接続インターフェース等を介して遊技装置３１〜３５と接続されている。
【００３９】
遊技装置データ記憶部７６は、付設処理装置２０（２１〜２５）に接続される各遊技装置３１〜３５のデータを格納する。この場合の格納されるデータとしては、例えば、少なくとも遊技媒体の数量であり、より具体的には、少なくとも、各遊技装置３１〜３５に供給される遊技媒体の数量、各遊技装置３１〜３５で使用された遊技媒体の数量、各使用者の貯蓄玉（遊技媒体）データ情報等である。
【００４０】
装置群内他遊技装置データ記憶部７７は、例えば、図５の付設処理装置２０が図２の通信方向で最後の付設処理装置２５である場合には、その通信回線網経路内の他の付設処理装置２１〜２４のデータが、その通信方向で最後の１つの付設処理装置に集積されて格納されるが、その場合の他の付設処理装置２１〜２４のデータを格納する記憶部である。
【００４１】
経路切替制御プログラム記憶部７８は、例えば、網データ集積指示の受信により、経路切替部を初期状態のバイパス経路（Ａ／Ｂ）側から個別送受信経路（Ｃ）側に切替、次の付設処理装置にデータを送出した後に個別送受信経路（Ｃ）をバイパス経路（Ａ／Ｂ）に戻す処理内容を含む経路切替制御プログラムを格納する。
【００４２】
回線網通信プログラム記憶部７９は、例えば、網の第１装置群部１１内の各付設処理装置２１〜２５に対して、通信方向に従って、網データ集積指示及び送信許可信号を順次転送させ、各付設処理装置２１〜２５からデータを送信させて１個の付設処理装置にデータを集積させるプログラムを格納する。
【００４３】
網データ集積指示は、例えば、トークンリング回線網におけるトークンのように、受信した付設処理装置２１〜２５からのデータを送信させるために、通信回線２を介して次の付設処理装置２０（２１〜２５）に送信されると共に、通信方向で最後の付設処理装置２５にデータを集積させる指示（送信許可信号）である。つまり、受信した各付設処理装置２１〜２５からデータを送信させる指示であり、そのために、各付設処理装置２１〜２５の後述する経路切替部７２をバイパス経路（Ａ／Ｂ）側から個別送受信経路（Ｃ）側に切替る。
【００４４】
また、送信許可信号も同様に、例えば、トークンリング回線網におけるトークンのように、順次各付設処理装置２１〜２５を転送される信号であるが、受信した付設処理装置２５（通信方向で最後の付設処理装置）からのデータ送信を許可する信号であり、網切替装置３〜７が送信許可信号を受信した場合に、その送信許可信号に連携するように送信される。
【００４５】
上記した構成を有する本実施の形態のデータ管理システムの動作（データ管理方法）について以下に説明する。
【００４６】
図６は、本実施の形態のデータ管理システムで各付設処理装置から各遊技台のデータを収集する場合の動作を示すフローチャートである。
遊技場の従業員等が、中央管理装置１の操作部４３を操作するか電源をＯＮすると、中央管理装置１では、例えば、その操作部４３の操作あるいは電源ＯＮに連動して、回線網通信プログラム記憶部４６から読み出されたプログラムが起動されて制御部４５で実行される（Ｓ１）。これにより、中央管理装置１から、各網切替装置９（３〜７）に向けて、経路をバイパス側（図４における独立／バイパス動作側の符号Ａ側）に切り替える切替制御信号（又は初期設定信号、リセット信号等）が、切替制御線８を介して送信される。各網切替装置９では、この信号の受信により各経路切替部５６〜５８が接続動作状態側の経路（Ｂ）から独立／バイパス動作状態側の経路（Ａ）に切り替えられる（又は独立／バイパス動作状態側の経路（Ａ）が維持される）（Ｓ１１）。
【００４７】
この場合、各網の装置群部１１〜１５内の各付設処理装置２０（２１〜２５）は、中央管理装置１とは通信接続されておらず、各装置群部１１〜１５内のみの小規模なＬＡＮ構成となり、網の接続部１７のみが中央管理装置１と通信接続されていることになる。
【００４８】
一方、遊技場の従業員等が、付設処理装置２０（２１〜２５）の電源をＯＮすると、各付設処理装置２０では、例えば、その電源ＯＮに連動して、回線網通信プログラム記憶部７９から読み出されたプログラムが起動されて制御部７５で実行される（Ｓ２１）。これにより、各付設処理装置２０内の経路切替部７２が、個別送受信経路（Ｃ）からバイパス経路（Ａ／Ｂ）に切り替えられる（又はバイパス経路（Ａ／Ｂ）が維持される）（Ｓ２２）。
【００４９】
その後、中央管理装置１から、データを収集する目的の網切替装置９に向けて、経路を接続動作状態側の経路（Ｂ）に切り替える切替制御信号が切替制御線８を介して送信される（Ｓ２）。網切替装置９では、切替制御信号を受信したか否かを判断しており（Ｓ１２）、目的の網切替装置９では、切替制御信号を受信した場合（Ｓ１２：ＹＥＳ）に、各経路切替部５６〜５８を独立／バイパス動作状態側の経路（Ａ）から接続動作状態側の経路（Ｂ）に切り替える。網切替装置９が切替制御信号を受信できない場合（Ｓ１２：ＮＯ）には、網切替装置９は、ステップＳ１２を繰り返して切替制御信号を待ち受ける。ここでは、中央管理装置１がデータを収集（受信）したい目的となった網切替装置９の各経路切替部５６〜５８のみが独立／バイパス動作状態側の経路（Ａ）から接続動作状態側の経路（Ｂ）に切り替えられる（Ｓ１３）。
【００５０】
ステップＳ１１で、自分の属する網の装置群部１１〜１５の通信経路が独立／バイパス動作状態側の経路（Ａ）に切り替えられた各付設処理装置２０では、その網の装置群部１１〜１５が独立／バイパス動作状態側の経路（Ａ）に切り替えられたか否かを判断しており（Ｓ２３）、付設処理装置２０は網の装置群部１１〜１５が独立／バイパス動作状態側の経路（Ａ）に切り替えられた場合（Ｓ２３：ＹＥＳ）で、データの送受信を実施する場合に、経路切替部７２をバイパス経路（Ａ／Ｂ）から個別送受信経路（Ｃ）に切り替える。ここでは、例えば、その網の装置群部１１〜１５内のデータを送信する付設処理装置２０と網の装置群部１１〜１５内の最後の付設処理装置２０の経路切替部７２のみが、まず、バイパス経路（Ａ／Ｂ）から個別送受信経路（Ｃ）に切り替えられる（Ｓ２４）。この処理を網の装置群部１１〜１５内の各付設処理装置２０で順次実施していき、網の装置群部１１〜１５内の最後の付設処理装置２０に、各付設処理装置２０から送信されたデータを集積させておく（Ｓ２５）。
【００５１】
中央管理装置１では、各網の装置群部１１〜１５に向けて、順次、トークンのような送信許可信号を送出する（Ｓ３）。データ送信方向を切り替える網の装置群部１１〜１５では、ステップＳ１３で通信経路が接続動作状態側の経路（Ｂ）に切り替えられているため、その送信許可信号は各付設処理装置２０に到達する。
【００５２】
各付設処理装置２０では、送信許可信号を受信したか否かを判断している（Ｓ２６）。各網の装置群部１１〜１５内で通信順序が最後以外の他の付設処理装置２０（送信許可信号を受信していない）は、経路切替部７２を個別送受信経路（Ｃ）からバイパス経路（Ａ／Ｂ）に切り替える（Ｓ２７）。各網の装置群部１１〜１５内で通信順序が最後の付設処理装置２０では、その送信許可信号を受信した場合（Ｓ２６：ＹＥＳ）に記憶されていた遊技装置のデータを送信する（Ｓ２８）。その後、各付設処理装置２０は、ステップＳ２４に戻って再び個別送受信経路（Ｃ）に切り替えられ、網の装置群部１１〜１５内の最後の付設処理装置２０に、各付設処理装置２０から送信されたデータが集積される（Ｓ２５）。
【００５３】
最後の付設処理装置２０から送信された、その網の装置群部１１〜１５の遊技装置のデータは、中央管理装置１で受信され（Ｓ４）、中央管理装置１では、データの受信により、その網の装置群部１１〜１５に向けて、経路を独立／バイパス動作状態側の経路（Ａ）に切り替える切替制御信号を切替制御線８を介して送信する（Ｓ５）。データを受信した網切替装置９では、各経路切替部５６〜５８が接続動作状態側の経路（Ｂ）から独立／バイパス動作状態側の経路（Ａ）に切り替えられる（Ｓ１４）。網切替装置９は、切替制御信号を受信した場合（Ｓ１４：ＹＥＳ）には各経路切替部５６〜５８を接続動作状態側の経路（Ｂ）から独立／バイパス動作状態側の経路（Ａ）に切り替える（Ｓ１５）。その後、網切替装置９は、ステップＳ１２に戻って再び切替制御信号を待ち受ける。網切替装置９が切替制御信号を受信できない場合（Ｓ１４：ＮＯ）には、網切替装置９はステップＳ１４を繰り返して切替制御信号を待ち受ける。
【００５４】
中央管理装置１は、上記したステップＳ２の経路Ｂへの切替制御信号の送出処理〜ステップＳ５の経路Ａへの切替制御信号の送出処理を、各網の装置群部１１〜１５に大して順次繰り返して、各網の装置群部１１〜１５内で通信順序が最後の付設処理装置２０から、その網の装置群部１１〜１５内の各遊技装置のデータ（最後の付設処理装置２０に集積されていた）を受信する。
【００５５】
中央管理装置１は、このようにして網の接続部１７を介して、各網の第１装置群部１１〜１５に集積されていた全ての遊技装置３１〜３５のデータ（付設処理装置２１〜２５に格納）を収集して、内部の全遊技装置データ記憶部４７に格納する。
【００５６】
なお、網の装置群部１１〜１５内の最後の付設処理装置２０に、各付設処理装置２０から送信されたデータを集積させておくステップＳ２５では、例えば、ステップＳ２７に示したように、各網の装置群部１１〜１５内で通信順序が最後の付設処理装置２０にデータを集積させるために送出する付設処理装置２０以外は、経路切替部７２を個別送受信経路（Ｃ）からバイパス経路（Ａ／Ｂ）に切り替えて、集積させる時間を短縮させるように制御してもよい。
【００５７】
以上のように、本実施の形態の通信回線網では、各網切替装置９（３〜７）が、自装置が属する網の装置群部１１〜１５に集積されていた全ての遊技装置３１〜３５のデータを送出する場合以外のタイミングでは、経路切替部５６〜５８が独立／バイパス動作状態側の経路（Ａ）に切替られるように構成される。また、各網切替装置９（３〜７）の経路切替部５６〜５８が独立／バイパス動作状態側の経路（Ａ）に切替られている場合には、その各網切替装置９（３〜７）に属する通信回線網では、各付設処理装置２０（２１〜２５）のうち、通信方向で最後の付設処理装置２５に接続された全ての遊技装置３１〜３５のデータを集積させるように構成される。さらに、その網の装置群部１１〜１５の内部では、各付設処理装置２０（２１〜２５）が、自装置に接続された遊技装置３１〜３５のデータを送出する場合以外のタイミングでは、経路切替部７２がバイパス回路側（Ａ／Ｂ）に切替られるように構成される。
【００５８】
このように本実施の形態のデータ管理システムでは、網の装置群部１１〜１５の各網切替装置９（３〜７）では、データ送信時以外は独立／バイパス動作状態側の経路（Ａ）となるようにしたので、大規模の通信回線網であっても、設置時やシステム変更時の接続工事の工数や配線量を抑制することができる。また、網の第１装置群部１１〜１５内の付設処理装置２０（２１〜２５）でも、データ送信時以外は独立／バイパス動作状態側の経路（Ａ）となるようにしたので、データ転送を効率よく実施することができる。さらに、各網切替装置９（３〜７）が属する網の装置群部１１〜１５では、接続された１個の装置（通信方向で最後の付設処理装置２５）に全遊技装置３１〜３５のデータを集積させる独立動作を実施できるように構成したので、データ転送をさらに効率よく実施することができる。
【００５９】
なお、上記した実施の形態では、各装置群の各網切替装置が独立／バイパス動作状態側の経路である場合に、各網切替装置が属する網の装置群部１１〜１５に接続された１個の装置に全遊技装置の緊急データを集積させる場合の例として、その１個の装置が網の装置群内の通信方向で最後の付設処理装置である場合を示したが、本発明はこれに限られるものではなく、例えば、網の装置群内の通信方向で最初の付設処理装置に装置群内の全遊技装置の緊急データを集積させても同様な効果を得ることができる。
【図面の簡単な説明】
【００６０】
【図１】従来のデータ管理システムの概略構成を示したブロック図である。
【図２】本発明のデータ管理システムの実施の形態１の概略構成を示したブロック図である。
【図３】図２の中央管理装置の概略内部構成を示すブロック図である。
【図４】図２の網切替装置の概略内部構成を示すブロック図である。
【図５】図２の付設処理装置の概略内部構成を示すブロック図である。
【図６】本実施の形態のデータ管理システムで各付設処理装置から各遊技台のデータを収集する場合の動作を示すフローチャートである。
【符号の説明】
【００６１】
１  中央管理装置、
２  通信回線、
３  第１網切替装置、
４  第２網切替装置、
５  第３網切替装置、
６  第４網切替装置、
７  第ｎ網切替装置、
８  切替制御線、
１１  網の第１装置群、
１２  網の第２装置群、
１３  網の第３装置群、
１４  網の第４装置群、
１５  網の第ｎ装置群、
２０〜２５、２０ａ〜２５ａ  付設処理装置、
２８  両替装置、
３１〜３５、  遊技装置、
４１、７３  受信バッファ、
４２  表示部、
４３  操作部、
４４、７４  送信バッファ、
４５、５１、７５  制御部、
４６、７９  回線網通信プログラム記憶部、
４７  全遊技装置データ記憶部、
４８  切替制御信号送信部、
４９  切替駆動信号送信部、
５２  経路切替駆動部、
５６〜５８、７２  経路切替部、
６０  切替制御信号受信部、
７１  波形整形部、
７６  遊技装置データ記憶部、
７７  装置群内他遊技装置データ記憶部、
７８  経路切替制御プログラム記憶部。
【図１】
2006325898.tif 000003
【図２】
2006325898.tif 000004
【図３】
2006325898.tif 000005
【図４】
2006325898.tif 000006
【図５】
2006325898.tif 000007
【図６】
2006325898.tif 000008